(57)【特許請求の範囲】
【請求項１】
標本を透過した観察光を接眼レンズに導く接眼観察光路と、カメラに導くカメラ観察光路とを有する顕微鏡システムであって、
前記接眼観察光路とカメラ観察光路との観察光量比を記憶する光量記憶手段と、
前記接眼観察光路とカメラ観察光路とを切り換える観察光路切り換え手段と、
前記接眼観察光路に設けた第１の光量調整手段と、
前記カメラ観察光路に設けた第２の光量調整手段と、を備え、
前記観察光路切り換え手段によって観察光路を切り換えたとき、前記光量記憶手段からの観察光量比に応じて、前記接眼観察光路の光量を前記第１の光量調整手段で調整し、前記カメラ観察光路の光量を前記第２の光量調整手段で調整することを特徴とする顕微鏡システム。
【請求項２】
前記観察光路切り換え手段は前記接眼観察光路及びカメラ観察光路で同時に観察を可能とする光路分割部を有する一方、前記第１及び第２の光量調整手段が前記接眼観察光路及びカメラ観察光路で同時に観察するときにそれぞれの観察光路の光量を個別に調整することを特徴とする請求項１記載の顕微鏡システム。
【請求項３】
前記標本に応じて前記接眼観察光路とカメラ観察光路の観察光量を補正する観察光量補正手段を備えていることを特徴とする請求項１又は２記載の顕微鏡システム。
【請求項４】
さらに、標本を照明する照明光路の光量を調整する第３の光量調整手段を備えていることを特徴とする請求項１乃至３のいずれかに記載の顕微鏡システム。
【発明の詳細な説明】
【０００１】
【発明の属する技術分野】
本発明は接眼観察とカメラ観察とを単一のシステムで行うことができる顕微鏡システムに関する。
【０００２】
【従来の技術】
顕微鏡観察においては、接眼レンズによる観察以外に、ＴＶカメラあるいはデジタルカメラなどの撮像装置を介したモニタ上での観察（以後、カメラ観察）がなされている。カメラ観察は複数人でディスカッションする場合に広く採用されるものである。
【０００３】
このカメラ観察では、標本の観察部位の位置決め、ピント合わせ操作は、解像度、操作性等の観点から接眼レンズを覗いて行われ、その後、モニタに表示される顕微鏡像でディスカッションを行う。この場合、肉眼の感度と撮像素子の感度が異なるため接眼観察時とカメラ観察時との間で観察光量を変えないと、他方では光量過多又は光量不足となって良好な顕微鏡観察が行うことができず、観察者の負担となる。
【０００４】
このため、照明系を自動制御する顕微鏡システムが開発されており、特開平９−２１９５７号公報には、対物レンズの変換に伴って照明光を適切にする構造が開示されている。
【０００５】
【発明が解決しようとする課題】
しかしながら上述した公開公報の構造では、接眼観察時における観察光量の最適化しか考慮されておらず、接眼観察時とカメラ観察との間での光量の調整は考慮されていない。
【０００６】
一方、カメラに入射する光量に応じてゲインを自動調整するオートゲインコントロール機能（ＡＧＣ）を備えたカメラが開発されている。このカメラでは入射光量不足の場合にゲインを上げることにより調整するが、ゲインを上げるとノイズも増幅される。又、逆に光量過多の場合はコントラストの劣化を招く問題がある。
【０００７】
なお、カメラから出力される映像信号を元にしてＮＤフィルタ制御を行う調光装置が開発されている。しかしながら、カメラは調光制御のための処理を行うことができる特定の映像信号を出力しなければならず、対応できるカメラが限定される問題がある。
【０００８】
本発明はこのような問題点を考慮してなされたものであり、特定のカメラに依存することなく、接眼観察とカメラ観察の観察光路の違いに応じて観察光量を適切に制御でき、これにより良好な顕微鏡観察を行うことができる顕微鏡システムを提供することを目的とする。
【０００９】
【課題を解決するための手段】
上記目的を達成するため、請求項１の発明は、標本を透過した観察光を接眼レンズに導く接眼観察光路と、カメラに導くカメラ観察光路とを有する顕微鏡システムであって、前記接眼観察光路とカメラ観察光路との観察光量比を記憶する光量記憶手段と、前記接眼観察光路とカメラ観察光路とを切り換える観察光路切り換え手段と、前記接眼観察光路に設けた第１の光量調整手段と、前記カメラ観察光路に設けた第２の光量調整手段と、を備え、前記観察光路切り換え手段によって観察光路を切り換えたとき、前記光量記憶手段からの観察光量比に応じて、前記接眼観察光路の光量を前記第１の光量調整手段で調整し、前記カメラ観察光路の光量を前記第２の光量調整手段で調整することを特徴とする。
【００１０】
この発明では、光量記憶手段が接眼観察光路とカメラ観察光路との観察光量比を記憶しており、観察光路切り換え手段が接眼観察光路とカメラ観察光路とを切り換えると、観察光量比に応じて第１の光量調整手段が接眼観察光路の光量を調整し、第２の光量調整手段がカメラ観察光路の光量を調整する。従って、各観察光路に適した照明光量を得ることができ、顕微鏡観察を良好に行うことができる。
【００１１】
請求項２の発明は、前記観察光路切り換え手段は前記接眼観察光路及びカメラ観察光路で同時に観察を可能とする光路分割部を有する一方、前記第１及び第２の光量調整手段が前記接眼観察光路及びカメラ観察光路で同時に観察するときにそれぞれの観察光路の光量を個別に調整することを特徴とする。
【００１２】
この発明では、接眼観察光路及びカメラ観察光路の双方で同時に観察を行う場合、第１及び第２の光量調整手段がそれぞれの観察光路の光量を個別に調整するため、接眼観察光路及びカメラ観察光路の双方の照明光量を適切にすることができ、双方の観察を良好に行うことができる。
【００１３】
請求項３の発明は、請求項１又は２記載の発明であって、前記標本に応じて前記接眼観察光路とカメラ観察光路の観察光量を補正する観察光量補正手段を備えていることを特徴とする。
【００１４】
この発明では、観察光量補正手段が接眼観察光路とカメラ観察光路の観察光量を標本に応じて調整するため、標本が視野に入ったときの煩わしい光量調整操作が不要となる。
請求項４の発明は、さらに、標本を照明する照明光路の光量を調整する第３の光量調整手段を備えていることを特徴とする。請求項４の発明によれば、接眼光路及びカメラ光路への入射光の双方を同時に適切な光量に調整することができる。
【００１５】
【発明の実施の形態】
（実施の形態１）
図１〜図１１は本発明の実施の形態の顕微鏡システムであり、図１はその照明光学系を示す。この実施の形態の照明光学系では、図１に示すように、照明を行うハロゲンランプなどの光源１と、光源１から出射した光を集光するコレクタレンズ２とを備え、さらにＮＤフィルタユニット３、透過視野絞り４、反射ミラー１７、透過開口絞り５、コンデンサ光学素子ユニット６、コンデンサトップレンズユニット７、ステージ８、対物レンズ９を切り換えるレボルバ１０、ビームスプリッタユニット１１を順に備えている。
【００１６】
ＮＤフィルタユニット３は光源１からの光の色温度を変えることなく明るさの調光を行う複数のＮＤフィルタを有しており、複数のＮＤフィルタは光源１からの光の光路中に挿脱可能となっている。コンデンサ光学素子ユニット６は光源１からの光の光路に対して選択的に挿入される複数のユニット６ａ、６ｂ、６ｃを有しており、コンデンサトップレンズユニット７も光路内に選択的に挿入される複数のレンズユニット７ａ、７ｂを有している。ステージ８には標本１８が載置されており、標本１８の走査とピント合わせを行う。又、レボルバ１０は対物レンズ９を構成する複数のユニット９ａ、９ｂ、９ｃを有し、回転することによりユニット９ａ、９ｂ、９ｃを選択する。
【００１７】
ビームスプリッタユニット１１は接眼観察光路（以下、接眼光路）１５及びカメラ観察光路（以下、カメラ光路）１６のいずれか一方に光を供給するように切り換えると共に、これらの光路１５、１６の双方に光を供給するようにも切り換える。このため、ビームスプリッタユニット１１は接眼光路１５に観察光の全光量を入射させる接眼光路ビームスプリッタ１１ｂと、カメラ光路１６に観察光の全光量を入射させるカメラ光路ビームスプリッタ１１ｃと、観察光を接眼光路１５及びカメラ光路１６の双方に分けて入射させる接眼及びカメラ光路ビームスプリッタ１１ａとを有している。
【００１８】
又、接眼光路１５には接眼レンズ１３が設けられ、カメラ光路１６には動画あるいは静止画を撮影するカメラ１２が設けられている。
【００１９】
図２は以上の光学系を制御する制御システムを示し、光源１を制御する光源コントロール部２０と、ＮＤフィルタユニット３を駆動制御するＮＤフィルタユニットコントロール部２１と、透過用視野絞り４を駆動制御する透過視野絞りコントロール部２２と、コンデンサ光学素子ユニット６とコンデンサトップレンズユニット７と透過用開口絞り５とを駆動制御するコンデンサコントロール部２３と、ステージ８を駆動制御するステージコントロール部２４と、レボルバー１０を駆動制御するレボルバーコントロール部２５と、ビームスプリッタ１１ａ、１１ｂ、１１ｃを切り換え駆動制御するビームスプリッタコントロール部２６とを備えている。又、これらのコントロール部２０〜２６はメインコントロール部２７によって制御される。
【００２０】
図３は以上のコントローラ部２０〜２６の内部構造を示し、ＣＰＵ回路３９と、上述したそれぞれの光学ユニットを駆動するための駆動回路４０及び位置検出回路４１とを内蔵している。ＣＰＵ回路３９は制御を行うＣＰＵ４２と、プログラムを記憶するＲＯＭ４３と、制御演算用のデータを格納するＲＡＭ３９及びこれらを結合するＣＰＵバス４５並びに図示しない周辺回路より構成される。
【００２１】
また、各コントロール部２０〜２６には、共通の専用シリアル通信Ｉ／Ｆ回路４６を設けてあり、各コントロール部２０〜２６が専用シリアルバス３８により結合されている。専用シリアルバス３８はメインコントロール部２７により制御されるものであり、メインコントロール部２７は専用シリアルバス３８を使用して各コントロール部２０〜２６に制御指示を送り、各コントロール部２０〜２６は、その制御指示により各受け持ちの光学ユニット等の制御を行う。
【００２２】
図４はメインコントロール部２７の内部構造を示し、各コントロール部２０〜２６と同様なＣＰＵ回路３９に加えて、専用シリアルバス３８をコントロールするための専用シリアルバス駆動回路５０と、顕微鏡の各種設定状態を記憶しておくための不揮発性メモリ５１と、顕微鏡の各種設定状態に対応して、観察光の光量を調節するために各コントロール部２０〜２６に出力すべき信号を演算する演算部５２と、各種の操作スイッチを設けたＳＷ入力部５３と、各種情報を表示するための表示部５４とにより構成される。この内、不揮発性メモリ５１は、電源遮断後においても記憶データを記憶するものである。
【００２３】
この実施の形態では、ＳＷ入力部５３及び表示部５４は一体となるものであり、図５に示すように、表示部５４上にＳＷ入力部５３が載置される。表示部５４はプラズマディスプレイ又はＬＣＤ（液晶表示装置）が使用され、メインコントロール部２７内のＣＰＵ４２から送出されたデータを表示する。ＳＷ入力部５３は透明シートスイッチが使用され、表示部５４の上に貼り付けられる。このＳＷ入力部５３の任意の位置を押下することにより、この押下位置から信号がＣＰＵ４２に送出される。
【００２４】
図６は表示部５４の表示画面の一例を示し、Ａ、Ｂ、ＣからなるＳＷ表示６１、６２、６３が並列して表示されている。そして、例えばＳＷ表示６３上を押下すると、ＣＰＵ４２はＳＷ入力部６３の押下位置データと表示部５４の表示データによりＳＷ表示６３が押下されたとの確認を行い、そのＳＷ表示に対応した制御を行う。
【００２５】
ＮＤフィルタユニット３は色温度を変えずに明るさのコントロールを行うためものである。ＮＤフィルタユニット３にはＮＤフィルタＮＤ０、ＮＤ１、ＮＤ２、ＮＤ３が装着されていて、表１に示した組合わせにより１１段階に光量比を変更することが可能である。これらＮＤフィルタはメインコトロール部２７より制御されるＮＤフィルタユニットコントロール部２１より制御され、照明光路中に挿脱される。
【００２６】
【表１】
0004231573.tif 000002
【００２７】
図９はカメラ光路１６への入射光量の設定を行うフローチャートである。まず、表示部５４に図７に示すような画面を表示する（ステップＳ１）。図７において、ＳＷ表示７１〜７３は、３種類のカメラＡ、Ｂ、Ｃから特定のカメラを選択するためのスイッチであり、ＳＷ表示７４はカメラ光路１６への入射光量を設定するためのスイッチである。
【００２８】
ＳＷ表示７１が押されると、メインコントロール部２７のＣＰＵ４２はＳＷ入力部５３の押下位置データと表示部５４の表示データにより、ＳＷ表示７１のカメラＡが接続された時のカメラ光路への入射光量の設定操作が選択されたものと判断し（ステップＳ２）、これにより表示部５４は図８に示す画面を表示する（ステップＳ３）。
【００２９】
図８において、８１はビームスプリッタユニット１１が有している３つのビームスプリッタ１１ａ、１１ｂ、１１ｃの内から接眼光路ビームスプリッタ１１ｂを選択するスイッチ、８２はカメラ光路ビームスプリッタ１１ｃを選択するスイッチである。８３、８４はそれぞれ照明光学系の光量を調節するＮＤフィルタユニット３の光量比を表１における１段（つまり、光量比を１／２倍）ずつ上下させるための調整スイッチである。８５は接眼光路ビームスプリッタ１１ｂからカメラ光路ビームスプリッタ１１ｃへ切り換えた時、ＮＤフィルタユニット３の光量比を何段分変える必要があるかを表示するものであり、当初は「０」が表示されている。
【００３０】
ここで、ＳＷ表示８１を押すと（ステップＳ４）、接眼光路ビームスプリッタ１１ｂに切り換わる（ステップＳ５）。そして、接眼レンズ１３による観察像が適切な明るさになるまで調整スイッチ８３、８４によってＮＤフィルタユニット３の光量比を変えて照明光量を調節する（ステップＳ６）。
【００３１】
次に、スイッチ８２を押下することにより（ステップＳ７）、カメラ光路ビームスプリッタ１１ｃに切り換える（ステップＳ８）。そして、カメラのＡＧＣ機能を解除した状態にし（ステップＳ９）、ＴＶモニターに出力されるカメラ撮影像が適切な明るさになるまで再び調整スイッチ８３、８４によってＮＤフィルタユニット３の光量比を変える（ステップＳ１０）。なお、上述したように、表示８５が表示する数値はカメラ光路ビームスプリッタ１１ｃの挿入時に、調整８３、８４を押すごとに上下する（ステップＳ１１）。
【００３２】
その後、セットキー８６を押すと（ステップＳ１２）、表示８５に表示されている数値が不揮発性メモリ５１に格納される。これにより、ＳＷ７１のカメラＡがカメラ光路１６に接続されている場合に、接眼光路１５とカメラ光路１６の切り換えに応じて、照明光学系の光量調節のためにＮＤフィルタの光量比を何段分変える必要があるか（以下、ＮＤ光量比変更データ）が設定される（ステップＳ１３）。
【００３３】
図１０は、以上により、カメラ光路１６への入射光量の設定が行われた後、接眼光路１５からカメラ光路１６に切り換えたときの照明光量の調節操作を説明するフローチャートである。
【００３４】
まず、図１１の光路切り換えパネルを表示部５４に表示する（ステップＳ２０）。ビームスプリッタユニット１１はＳＷ９１により接眼光路ビームスプリッタ１１ａに切り換わり、ＳＷ９２によりカメラ光路ビームスプリッタ１１ｃに切り換わり、９３により接眼及びカメラ撮影ビームスプリッタ１１ａに切り換わるように制御される。
【００３５】
ここで、接眼観察しているときにＳＷ９２を押すと（ステップＳ２１）、ビームスプリッタユニット１１が駆動され、観察光路がカメラ光路１６に切り換わる（ステップＳ２２）。そして、切り換わったカメラ光路１６に応じた光量を照明光学系からの出射光から調節するために、メインコントロール部２７のＣＰＵ４２は不揮発性メモリ５１からカメラ光路１６への光量設定で記憶されたデータを読み込み（ステップＳ２３）、このデータに従ってＮＤフィルタのＮＤフィルタ切換量を算出し（ステップＳ２４）、ＮＤフィルタユニット３の切り換えを指示する（ステップＳ２５）。これにより、切り換わったカメラ光路１６では、観察に適した照明光量を得ることができ、観察を良好に行うことができる。
【００３６】
以上のように、本実施の形態では、カメラ光路１６と接眼光路１５との切り換えにより、照明光学系のＮＤフィルタが自動的に挿脱され、接続したカメラの感度に適合した光量をカメラ光路１６に入射させることができるため、最適な撮影像が得られる。従って、カメラ光路１６と接眼光路１５の切り換え時の煩わしい照明光学系の操作を削減でき、操作上が向上する。
【００３７】
（実施の形態２）
図１２は実施の形態２を示す。この実施の形態の基本的な構成は、上述した実施の形態１と同様であり、基本的な構成についての説明は省略する。本実施の形態の特徴は図１２に示すように、接眼光路１５及びカメラ光路１６のそれぞれにＮＤフィルタユニット３４，３５が挿脱可能となっている点である。そして、ビームスプリッタユニット１１を接眼及びカメラビームスプリッタ１１ａに切り換えて、接眼観察とカメラ撮影とを同時に行う光路にしたときに、カメラ光路１６に適切な光量を入射すると同時に接眼光路１５への入射光も適切な光量に調節するものである。
【００３８】
双方のＮＤフィルタユニット３４、３５の内、カメラ１２の感度が接眼レンズ１３の感度よりも悪い時にはＮＤフィルタユニット３４を駆動し、また、逆にカメラ１２の感度が接眼レンズ１３の感度よりも良い時にはＮＤフィルタユニット１５を駆動する。ＮＤフィルタユニット３４、３５にはいずれもＮＤフィルタＮＤ０、ＮＤ１が装着されており、ＮＤフィルタユニットコントロール部２１によって制御され、表２のような組合せにより４段階に光量比を変えることができる。
【００３９】
【表２】
0004231573.tif 000003
【００４０】
この実施の形態において、接眼及びカメラ光路ビームスプリッタ１１ａにより接眼光路１５とカメラ光路１６に分配される光量の割合データは予めメインコントロール部２７の不揮発性メモリ５１に格納しておく。
【００４１】
図１３はカメラ１２の感度が接眼レンズ１３の感度よりも悪い場合において、接眼及びカメラの同時観察の光路に切り換えられたときの光量調節を説明するフローチャートである。
【００４２】
まず、表示部５４の画面にビームスプリッタユニットの切り換え操作をするための図１１のパネルを表示させる（ステップＳ３０）。ここで、ＳＷ９３を押して（ステップＳ３１）、カメラ及び接眼光路ビームスプリッタ１１ａに切り換える（ステップＳ３２）。このとき、メインコントロール部２７のＣＰＵ４２は実施の形態１で示す方法により設定されたカメラ光路１６への光量データＺ（Ｚ＞０）と、カメラ及び接眼光路ビームスプリッタ１１ａによって分けられるカメラ光路１６への光量の割合Ｃａ及び接眼光路１５への光量の割合Ｂｉとの各データを不揮発性メモリ５１から読み込んで演算部５２に入力する（ステップＳ３３及びステップＳ３４）。
【００４３】
演算部５２では、カメラ光路１６と接眼光路１５の双方に適切な光量を入射させるため、光源１側のＮＤフィルタユニット３と、接眼光路１５側のＮＤフィルタユニット３４とを制御するための演算を行う。接眼光路１５側のＮＤフィルタユニット３４を制御するのは、図１３のフローチャートがカメラ１２の感度が接眼レンズ１３の感度よりも悪い場合についての制御のためである。かかる演算は接眼光路ビームスプリッタ１１ｂから切り換わった場合と、カメラ光路ビームスプリッタ１１ｃから切り換わった場合とに分けて行われる。
【００４４】
接眼光路ビームスプリッタ１１ｂから接眼及びカメラ光路ビームスプリッタ１１ａに切り換わった場合、カメラ光路１６に対する光量調整は、２Z ×１／Ｃａ倍だけ明るくする必要がある。従って、光源１側のＮＤフィルタユニット３の光量比を｛ｘ＝Ｚ−ｌｏｇ2 ＣＡ｝段階分上げる（ステップＳ３５）。ここで、ｘはｎ≦ｘ＜ｎ＋１を満たす整数である。このため、ＮＤフィルタユニット３を切り換えて照明光量を調整する（ステップＳ３６）。
【００４５】
一方、カメラ光路１６に適切な光量が入射している場合には、接眼光路１５への光量は適切な光量の２Z ×（Ｂｉ／Ｃａ）倍となっている。従って、接眼光路１５側のＮＤフィルタユニット３４の光量比を、ｎ＝｛Ｚ−ｌｏｇ2 （Ｃａ／Ｂｉ）として１／２n に設定する必要があり（ステップＳ３７）、このためＮＤフィルタユニット３４の切り換え駆動が実行される（ステップＳ３８）。
【００４６】
これに対し、カメラ光路ビームスプリッタ１１ｃから接眼及びカメラ光路ビームスプリッタ１１ａに切り換わった場合、カメラ光路１６への入射光量はカメラ光路ビームスプリッタ１１ｃから接眼及びカメラ光路ビームスプリッタ１１ａに切り換えたときにＣａだけ暗くなる。この場合のカメラ光路１６への光量調整は、光源１側のＮＤフィルタユニット３の光量比を｛−ｌｏｇ2 Ｃａ｝段階分上げることになり（ステップＳ３９）、このためＮＤフィルタユニット３が駆動制御される（ステップＳ４０）。この場合、接眼光路１５への光量調整は接眼光路から切り換わった場合の制御と同じである（ステップＳ４１及びステップＳ４２）。
【００４７】
このような実施の形態では、接眼及びカメラ光路ビームスプリッタ１１ａを照明光路に挿入することにより接眼観察及びカメラ撮影とを同時に行う光路に切り換えた場合、接眼光路１５及びカメラ光路１６への入射光の双方を同時に適切な光量に調整することができる。従って、複数のオペレータの内、一人が接眼観察すると同時に他の一人がカメラで撮影している画像を観察する場合、双方の観察を適切な光量で行うことができる。
【００４８】
（実施の形態３）
この実施の形態では、染色標本などのように標本１８の種類が異なる場合への適用を示し、基本的な構成は実施の形態２と同様である。
【００４９】
この実施の形態では、標本１８が染色標本などの場合、その標本の透過率データを染色方法毎に不揮発性メモリ５１に格納する一方、図１５に示すように標本１８の染色方法を選択するための染色方法選択ＳＷ（スイッチ）１０１，１０２，１０３及び染色標本１８の透過率を入力するための透過率入力ＳＷ（スイッチ）１０４，１０５，１０６を表示部５４に表示して照明光学系の光量を調整するものである。
【００５０】
図１４は標本の種別に応じた透過率の設定を行うフローチャートである。まず、表示部５４では、図１５に示すような標本種別透過率設定パネルを表示する（ステップＳ５０）。この状態に対し、複数の標本の内、標本Ａを選択するためのＳＷ１０１が押下されると、メインコントローラ部２７のＣＰＵ４２はＳＷ１０１の押下位置データにより、染色標本の透過率の設定操作が選択されたものと判断する。
【００５１】
染色方法選択ＳＷ１０１，１０２，１０３には、透過率入力ＳＷ１０４，１０５，１０６がそれぞれ対応するように並列表示されている。この透過率入力ＳＷ１０４，１０５，１０６には、実験によって予め求めた標本の透過率が入力されている。従って、染色方法選択ＳＷ１０１を押下することにより、その標本Ａの透過率が入力される（ステップＳ５２）。その後、セットキー１０７を押下することにより（ステップＳ５３）、メインコントロール部２７の不揮発性メモリ５１に標本の染色方法とその透過率のテーブルデータが格納される。
【００５２】
図１６は標本種別毎に照明光量を調節するフローチャートである。図１４のフローチャートに従って透過率を設定した後、ＳＷ１０１を押下すると（ステップＳ６０）、メインコントロール部２７のＣＰＵ４２はＳＷ１０１の押下位置データと表示部５４の表示データによりＳＷ１０１に表示されている染色方法が選択されたものと判断し、不揮発性メモリ５１からＳＷ１０１に対応した透過率データを読み出して演算部５２に入力する（ステップＳ６１）。
【００５３】
演算部５２では、標本の透過率νから標本が視野に入ったときにカメラ光路１６及び接眼光路１５に適切な光量を入射させるために必要な照明光学系の光量を調整するための演算を行う。ここでは、接眼光路１５及びカメラ光路１６への光量を標本が視野に入る前に戻すために１／ν倍すれば良く、ＮＤフィルタユニット３は透過率を｛−ｌｏｇ2 ν｝段階分上げる演算を行う（ステップＳ６２）。これにより、ＣＰＵ４２はＮＤフィルタコントロール部２１に対し制御信号を出力してＮＤフィルタユニット３を切り換える。これにより、標本の観察に合わせた光量とすることができる。
【００５４】
このような実施の形態では、ＳＷ１０１，１０２，１０３によって標本の種別を選択するだけで、標本の透過率に適合した照明光学系の光量調整が自動的に行われるため、標本が視野に入ったときの煩わしい光量調整操作が不要となり、操作性が向上する。
【００５５】
【発明の効果】
以上説明したように、請求項１の発明によれば、観察光路切り換え手段が接眼観察光路とカメラ観察光路とを切り換えると、観察光量比に応じて第１の光量調整手段が接眼観察光路の光量を調整し、第２の光量調整手段がカメラ観察光路の光量を調整するため、それぞれの観察光路に適した光量を得ることができる。従って、カメラに依存することなく、観察光量を調整することができ、顕微鏡観察を良好に行うことができる。
【００５６】
請求項２の発明によれば、第１及び第２の光量調整手段が接眼観察光路の光量及びカメラ観察光路の光量をそれぞれ個別に調整するため、接眼観察光路及びカメラ観察光路の双方の照明光量を適切にすることができ、双方の観察を良好に行うことができる。
【００５７】
請求項３の発明によれば、観察光量比補正手段が接眼観察光路とカメラ観察光路の観察光量比を標本に応じて調整するため、標本が視野に入ったときの煩わしい光量調整操作が不要となる。
請求項４の発明によれば、接眼光路及びカメラ光路への入射光の双方を同時に適切な光量に調整することができる。
【図面の簡単な説明】
【図１】本発明の実施の形態１の照明光学系の構成を示す正面図である。
【図２】実施の形態１の制御系の構成を示す正面図である。
【図３】制御系における各コントロール部の内部構成を示すブロック図である。
【図４】制御系に用いるメインコントロール部の内部構成を示すブロック図である。
【図５】ＳＷ入力部及び表示部を示す斜視図である。
【図６】表示部の表示例を示す正面図である。
【図７】カメラ光路を選択する場合の表示部の表示を示す正面図である。
【図８】接眼光路又はカメラ光路を選択する場合の表示部の表示を示す正面図である。
【図９】カメラ光路への光量設定を行う場合のフローチャートである。
【図１０】観察光路をカメラ光路へ切り換えた場合のフローチャートである。
【図１１】観察光路を選択する場合の表示部の表示を示す正面図である。
【図１２】実施の形態２の構成を示す部分正面図である。
【図１３】接眼光路及びカメラ光路で同時に観察する場合のフローチャートである。
【図１４】標本が異なる場合の透過率の設定を行うフローチャートである。
【図１５】標本が異なる場合の表示部の表示を示す正面図である。
【図１６】標本が異なる場合の光量調整を行うフローチャートである。
【符号の説明】
１  光源
３  ＮＤフィルタユニット
１１  ビームスプリッタユニット
１２  カメラ
１３  接眼レンズ
１５  接眼光路
１６  カメラ光路
【図１】
0004231573.tif 000004
【図２】
0004231573.tif 000005
【図３】
0004231573.tif 000006
【図４】
0004231573.tif 000007
【図５】
0004231573.tif 000008
【図６】
0004231573.tif 000009
【図７】
0004231573.tif 000010
【図８】
0004231573.tif 000011
【図９】
0004231573.tif 000012
【図１０】
0004231573.tif 000013
【図１１】
0004231573.tif 000014
【図１２】
0004231573.tif 000015
【図１３】
0004231573.tif 000016
【図１４】
0004231573.tif 000017
【図１５】
0004231573.tif 000018
【図１６】
0004231573.tif 000019